(57)【要約】【課題】マルチ走査システムの入力装置の提供。【解決手段】本発明は一種のマルチ走査システムの入力装置に関わるもので、主に第１キー行列、１本以上の第１走査線、１本以上の第１帰還線、１本以上の第１キーを設ける。第２キー行列、１本以上の第２走査線、１本以上の第２帰還線、１本以上の第２キーを設ける。第１マイクロプロセッサー、第１走査線と第１帰還線と電気接続する。第１マイクロプロセッサーは走査信号を第１走査線に出力し、第１帰還線の帰還信号を受信する。第２マイクロプロセッサー、第２走査線、第２帰還線及び第１マイクロプロセッサーと電気接続する。第２マイクロプロセッサーは、走査信号を第２走査線に出力し、第２帰還線の帰還信号を受信する。伝送ユニットは第１マイクロプロセッサーと電気接続し、第１マイクロプロセッサーより伝送されたデータ信号を受信した上、そのデータ信号を送信する。【選択図】図２
2007164750.tif 000002
【特許請求の範囲】
【請求項１】
第１キー行列、第２キー行列、第１マイクロプロセッサー、第２マイクロプロセッサー及び伝送ユニットを包含し、
第１キー行列は１本以上の第１走査線、１本以上の第１帰還線、及び一つ以上の第１キーを含み、
第２キー行列は１本以上の第２走査線、１本以上の第２帰還線、及び一つ以上の第２キーを含み、
第１マイクロプロセッサーは第１走査線及び第１帰還線と電気接続し、第１マイクロプロセッサーは走査信号を第１走査線に出力し、第１帰還線の帰還信号を受信し、
第２マイクロプロセッサーは第２走査線、第２帰還線及び第１マイクロプロセッサーと電気接続し、第２マイクロプロセッサーは走査信号を第２走査線に出力、第２帰還線の帰還信号を受信し、
伝送ユニットは第１マイクロプロセッサーに電気接続し、第１マイクロプロセッサーより伝送されたデータ信号を受信した上、そのデータ信号を送信することを特徴とするマルチ走査システムの入力装置。
【請求項２】
請求項１記載の入力装置において、データ信号は、第１マイクロプロセッサーより生成し、このデータ信号は、押された第１キーに対応することを特徴とするマルチ走査システムの入力装置。
【請求項３】
請求項１記載の入力装置において、データ信号は、第２マイクロプロセッサーより生成し、このデータ信号は、押された第２キーに対応することを特徴とするマルチ走査システムの入力装置。
【請求項４】
請求項３記載の入力装置において、データ信号は、第２マイクロプロセッサーにより、第１マイクロプロセッサーに伝送し、このデータ信号はさらに、第１マイクロプロセッサーにより伝送ユニットに伝送した上、伝送ユニットにより、このデータ信号発信することを特徴とするマルチ走査システムの入力装置。
【請求項５】
請求項１記載の入力装置において、伝送ユニットはＵＳＢインターフェスであることを特徴とするマルチ走査システムの入力装置。
【請求項６】
請求項１記載の入力装置において、伝送ユニットはＰＳ２インターフェスであることを特徴とするマルチ走査システムの入力装置。
【請求項７】
請求項１記載の入力装置において、伝送ユニットは無線式伝送ユニットであることを特徴とするマルチ走査システムの入力装置。
【請求項８】
請求項１記載の入力装置において、伝送ユニットは有線式伝送ユニットであることを特徴とするマルチ走査システムの入力装置。
【請求項９】
請求項１記載の入力装置において、伝送ユニットはキーボードであることを特徴とするマルチ走査システムの入力装置。
【請求項１０】
第１キー行列、第２キー行列、第１マイクロプロセッサー、第２マイクロプロセッサー及び伝送ユニットを包含し、
第１キー行列は１本以上の第１走査線、１本以上の第１帰還線、及び一つ以上の第１キーを含み、
第２キー行列は１本以上の第１走査線、１本以上の第２帰還線、及び一つ以上の第２キーを含み、
第１マイクロプロセッサーは第１走査線及び第１帰還線と電気接続し、第１マイクロプロセッサーは走査信号を第１走査線に出力し、第１帰還線の帰還信号を受信し、
第２マイクロプロセッサーは第１走査線、第２帰還線と第１マイクロプロセッサーと電気接続し、第２マイクロプロセッサーは、第２帰還線の帰還信号を受信するほか、第１走査線の走査信号を受信し、
伝送ユニットは第１マイクロプロセッサーに電気接続し、第１マイクロプロセッサーより伝送されたデータ信号を受信した上、そのデータ信号を送信することを特徴とするマルチ走査システムの入力装置。
【請求項１１】
請求項１０記載の入力装置において、データ信号は、第１マイクロプロセッサーより生成し、このデータ信号は、押された第１キーに対応することを特徴とするマルチ走査システムの入力装置。
【請求項１２】
請求項１０記載の入力装置において、データ信号は、第２マイクロプロセッサーより生成し、このデータ信号は、押された第２キーに対応することを特徴とするマルチ走査システムの入力装置。
【請求項１３】
請求項１２記載の入力装置において、データ信号は、第２マイクロプロセッサーにより、第１マイクロプロセッサーに伝送し、このデータ信号はさらに、第１マイクロプロセッサーにより伝送ユニットに伝送した上、伝送ユニットにより、このデータ信号発信することを特徴とするマルチ走査システムの入力装置。
【請求項１４】
請求項１０記載の入力装置において、伝送ユニットはＵＳＢインターフェスであることを特徴とするマルチ走査システムの入力装置。
【請求項１５】
請求項１０記載の入力装置において、伝送ユニットはＰＳ２インターフェスであることを特徴とするマルチ走査システムの入力装置。
【請求項１６】
請求項１０記載の入力装置において、伝送ユニットは無線伝送ユニットであることを特徴とするマルチ走査システムの入力装置。
【請求項１７】
請求項１０記載の入力装置において、伝送ユニットは有線式伝送ユニットであることを特徴とするマルチ走査システムの入力装置。
【請求項１８】
請求項１０記載の入力装置において、伝送ユニットはキーボードであることを特徴とするマルチ走査システムの入力装置。
【請求項１９】
第１キー行列、第２キー行列、第１マイクロプロセッサー、第２マイクロプロセッサー及び伝送ユニットを包含し、
キー行列は１本以上の走査線、１本以上の帰還線、及び一つ以上のキーを含み、
第１マイクロプロセッサーは走査線と電気接続し、第１マイクロプロセッサーは走査信号を走査線に出力し、
第２マイクロプロセッサーは走査線、帰還線及び第１マイクロプロセッサーと電気接続し、第２マイクロプロセッサーは走査信号及び帰還線よりの帰還信号を受信する、
伝送ユニットは第２マイクロプロセッサーに電気接続し、第２マイクロプロセッサーより伝送されたデータ信号を受信した上、そのデータ信号を送信することを特徴とする一種のマルチ走査システムの入力装置。
【発明の詳細な説明】
【技術分野】
【０００１】
本発明は一種の操作システムの入力装置、特に二つのマイクロプロセッサー及び二つのキー行列を設けたキーボードのマルチ走査システムの入力装置に関わるものである。
【背景技術】
【０００２】
図１は公知技術の走査システムの入力装置のブロック図である。公知技術の走査システムに備えるキーボードなどの入力装置は複数のキーを設け、走査線と帰還線の組み合わせにより、キー行列を構成する。各走査線と各帰還線の交差点にキースイッチのようなスイッチを設けて、複数のキーを構成する。マイクロプロセッサーは、走査線とこれらの帰還線と電気接続する。マイクロプロセッサーは走査信号を生成し、走査信号を走査線に出力する。さらに、マイクロプロセッサーは帰還線よりの帰還信号を受信する。そのうちの一つのキーが押されたとき、マイクロプロセッサーは走査信号と帰還信号により、どのキーが押されたかを判断した上、マイクロプロセッサーより、押されたキーに対応するデータ信号を生成する。
【０００３】
前記の公知技術の入力装置は、一つのマイクロプロセッサーしかない。また、生産コストを配慮するため、入力装置は通常、コストが低く、かつ、大抵並みのシングルチップ・マイクロプロセッサー素子を使用している。よって、マイクロプロセッサーはキー行列の走査とキー入力タスク(Ｔａｓｋ)の働きしかない。そして、マイクロプロセッサーを計算機の計算機能など他のタスクを執行させるとき、マイクロプロセッサーは追加されたタスクに堪えられなくなる。無理に実行すると、マイクロプロセッサーは従来の走査とキー入力タスクでさえ、順調及び確実に実行できなくなる。コスト高く、かつ、計算機能の強いマイクロプロセッサーを使用しない限り、この種の課題を解決できない。しかしながら、コスト高く、計算機能の強いマイクロプロセッサーによる解決手段は、生産コスト高の結果になりかねない。
【０００４】
一方、公知技術の入力装置の電気回路に修正があるとき、公知技術の入力装置のファームウエアに対して、全面的に修正及びテストを行うこととなり、部分修正及びテストでは対応できない。この点、公知技術の入力装置がモジュール化の柔軟性設計を欠ける。
【０００５】
本発明者は前記した公知技術の入力装置の欠点について、一種のマイクロプロセッサーとキー行列をそれぞれ二つに設ける入力装置を思案した。入力装置により、すべてのタスクを二つのマイクロプロセッサーに仕分けることができる。よって、本発明の入力装置はコストの低い、計算能力を有する二つのシングルチップ・マイクロプロセッサーを使用できる。
【発明の開示】
【発明が解決しようとする課題】
【０００６】
本発明の一つの目的は、一種の二つのマイクロプロセッサーと二つのキー行列を設ける入力装置を提供する。
【０００７】
本発明のもう一つの目的は、一種の生産コストの低い、かつ、多機能の入力装置を提供する。
【０００８】
本発明は前記の目的を実現するため、主に第１キー行列、１本以上の第１走査線、１本以上の第１帰還線、及び一つ以上の第１キーを設ける。第２キー行列、１本以上の第２走査線、１本以上の第２帰還線、一つ以上の第２キーを設ける。第１マイクロプロセッサー、第１走査線と第１帰還線と電気接続する。第１マイクロプロセッサーは走査信号を第１走査線に出力し、第１帰還線の帰還信号を受信する。第２マイクロプロセッサー、第２走査線と第２帰還線及び第１マイクロプロセッサーと電気接続する。第２帰還線の帰還信号を受信する。伝送ユニットは第１マイクロプロセッサーと電気接続し、第１マイクロプロセッサーのデータ信号を受信した上、そのデータ信号を送信する一種のマルチ走査システムの入力装置を提供する。
【課題を解決するための手段】
【０００９】
請求項１の発明は、第１キー行列、第２キー行列、第１マイクロプロセッサー、第２マイクロプロセッサー及び伝送ユニットを包含し、
第１キー行列は１本以上の第１走査線、１本以上の第１帰還線、及び一つ以上の第１キーを含み、
第２キー行列は１本以上の第２走査線、１本以上の第２帰還線、及び一つ以上の第２キーを含み、
第１マイクロプロセッサーは第１走査線及び第１帰還線と電気接続し、第１マイクロプロセッサーは走査信号を第１走査線に出力し、第１帰還線の帰還信号を受信し、
第２マイクロプロセッサーは第２走査線、第２帰還線及び第１マイクロプロセッサーと電気接続し、第２マイクロプロセッサーは走査信号を第２走査線に出力、第２帰還線の帰還信号を受信し、
伝送ユニットは第１マイクロプロセッサーに電気接続し、第１マイクロプロセッサーより伝送されたデータ信号を受信した上、そのデータ信号を送信することを特徴とするマルチ走査システムの入力装置としている。
請求項２の発明は、請求項１記載の入力装置において、データ信号は、第１マイクロプロセッサーより生成し、このデータ信号は、押された第１キーに対応することを特徴とするマルチ走査システムの入力装置としている。
請求項３の発明は、請求項１記載の入力装置において、データ信号は、第２マイクロプロセッサーより生成し、このデータ信号は、押された第２キーに対応することを特徴とするマルチ走査システムの入力装置としている。
請求項４の発明は、請求項３記載の入力装置において、データ信号は、第２マイクロプロセッサーにより、第１マイクロプロセッサーに伝送し、このデータ信号はさらに、第１マイクロプロセッサーにより伝送ユニットに伝送した上、伝送ユニットにより、このデータ信号発信することを特徴とするマルチ走査システムの入力装置としている。
請求項５の発明は、請求項１記載の入力装置において、伝送ユニットはＵＳＢインターフェスであることを特徴とするマルチ走査システムの入力装置としている。
請求項６の発明は、請求項１記載の入力装置において、伝送ユニットはＰＳ２インターフェスであることを特徴とするマルチ走査システムの入力装置としている。
請求項７の発明は、請求項１記載の入力装置において、伝送ユニットは無線式伝送ユニットであることを特徴とするマルチ走査システムの入力装置としている。
請求項８の発明は、請求項１記載の入力装置において、伝送ユニットは有線式伝送ユニットであることを特徴とするマルチ走査システムの入力装置としている。
請求項９の発明は、請求項１記載の入力装置において、伝送ユニットはキーボードであることを特徴とするマルチ走査システムの入力装置としている。
請求項１０の発明は、第１キー行列、第２キー行列、第１マイクロプロセッサー、第２マイクロプロセッサー及び伝送ユニットを包含し、
第１キー行列は１本以上の第１走査線、１本以上の第１帰還線、及び一つ以上の第１キーを含み、
第２キー行列は１本以上の第１走査線、１本以上の第２帰還線、及び一つ以上の第２キーを含み、
第１マイクロプロセッサーは第１走査線及び第１帰還線と電気接続し、第１マイクロプロセッサーは走査信号を第１走査線に出力し、第１帰還線の帰還信号を受信し、
第２マイクロプロセッサーは第１走査線、第２帰還線と第１マイクロプロセッサーと電気接続し、第２マイクロプロセッサーは、第２帰還線の帰還信号を受信するほか、第１走査線の走査信号を受信し、
伝送ユニットは第１マイクロプロセッサーに電気接続し、第１マイクロプロセッサーより伝送されたデータ信号を受信した上、そのデータ信号を送信することを特徴とするマルチ走査システムの入力装置としている。
請求項１１の発明は、請求項１０記載の入力装置において、データ信号は、第１マイクロプロセッサーより生成し、このデータ信号は、押された第１キーに対応することを特徴とするマルチ走査システムの入力装置としている。
請求項１２の発明は、請求項１０記載の入力装置において、データ信号は、第２マイクロプロセッサーより生成し、このデータ信号は、押された第２キーに対応することを特徴とするマルチ走査システムの入力装置としている。
請求項１３の発明は、請求項１２記載の入力装置において、データ信号は、第２マイクロプロセッサーにより、第１マイクロプロセッサーに伝送し、このデータ信号はさらに、第１マイクロプロセッサーにより伝送ユニットに伝送した上、伝送ユニットにより、このデータ信号発信することを特徴とするマルチ走査システムの入力装置としている。
請求項１４の発明は、請求項１０記載の入力装置において、伝送ユニットはＵＳＢインターフェスであることを特徴とするマルチ走査システムの入力装置としている。
請求項１５の発明は、請求項１０記載の入力装置において、伝送ユニットはＰＳ２インターフェスであることを特徴とするマルチ走査システムの入力装置としている。
請求項１６の発明は、請求項１０記載の入力装置において、伝送ユニットは無線伝送ユニットであることを特徴とするマルチ走査システムの入力装置としている。
請求項１７の発明は、請求項１０記載の入力装置において、伝送ユニットは有線式伝送ユニットであることを特徴とするマルチ走査システムの入力装置としている。
請求項１８の発明は、請求項１０記載の入力装置において、伝送ユニットはキーボードであることを特徴とするマルチ走査システムの入力装置としている。
請求項１９の発明は、第１キー行列、第２キー行列、第１マイクロプロセッサー、第２マイクロプロセッサー及び伝送ユニットを包含し、
キー行列は１本以上の走査線、１本以上の帰還線、及び一つ以上のキーを含み、
第１マイクロプロセッサーは走査線と電気接続し、第１マイクロプロセッサーは走査信号を走査線に出力し、
第２マイクロプロセッサーは走査線、帰還線及び第１マイクロプロセッサーと電気接続し、第２マイクロプロセッサーは走査信号及び帰還線よりの帰還信号を受信する、
伝送ユニットは第２マイクロプロセッサーに電気接続し、第２マイクロプロセッサーより伝送されたデータ信号を受信した上、そのデータ信号を送信することを特徴とする一種のマルチ走査システムの入力装置としている。
【発明の効果】
【００１０】
本発明は一種のマルチ走査システムの入力装置に関わるもので、主に第１キー行列、１本以上の第１走査線、１本以上の第１帰還線、１本以上の第１キーを設ける。第２キー行列、１本以上の第２走査線、１本以上の第２帰還線、１本以上の第２キーを設ける。第１マイクロプロセッサー、第１走査線と第１帰還線と電気接続する。第１マイクロプロセッサーは走査信号を第１走査線に出力し、第１帰還線の帰還信号を受信する。第２マイクロプロセッサー、第２走査線、第２帰還線及び第１マイクロプロセッサーと電気接続する。第２マイクロプロセッサーは、走査信号を第２走査線に出力し、第２帰還線の帰還信号を受信する。伝送ユニットは第１マイクロプロセッサーと電気接続し、第１マイクロプロセッサーより伝送されたデータ信号を受信した上、そのデータ信号を送信する。
【発明を実施するための最良の形態】
【００１１】
図２に示すものは、本発明のマルチ走査システムの入力装置の実施例１のブロック図である。本発明のマルチ走査システムの入力装置２０は、主に複数の第１キー２０１及び複数の第２キー２０５を設ける。第１キー２０１と第２キー２０５により、互いに独立するキーグループを構成する。第１キー２０２は第１帰還線２０３との組み合わせにより、キー行列を構成する。各走査線２０２と各帰還線２０３の交差点にキースイッチのようなスイッチを設けて、複数の第１キー２０１を構成する。同じく、第２走査線２０６と第２帰還線２０７との組み合わせにより、第２キー行列を構成する。各走査線２０６と各帰還線２０７の交差点に第２キースイッチのようなスイッチを設けて、複数の第２キー２０５を構成する。
【００１２】
実施例１の入力装置２０において、第１マイクロプロセッサー２０４は第１走査線２０２と第１帰還線２０３と電気接続する。第２マイクロプロセッサー２０８は第２走査線２０６、第２帰還線２０７、第１マイクロプロセッサー２０４と電気接続する。
【００１３】
さらに、実施例１の入力装置２０において、入力装置２０はさらに伝送ユニット２０９を設け、伝送ユニット２０９は第１マイクロプロセッサー２０４と電気接続する。伝送ユニット２０９は主に、第１マイクロプロセッサー２０４よりのデータ信号を受信した上、そのデータ信号を外部に伝送する。
【００１４】
図２に示すものは、第１マイクロプロセッサー２０４は独自に信号を走査した上、走査信号を第１走査線２０２に出力する。さらに、第１マイクロプロセッサー２０４は、第１帰還線２０３より伝送された帰還信号を受信する。そのうちの一つ第１キー２０１が押されたとき、第１マイクロプロセッサー２０４は走査信号と帰還信号により、どの第１キー２０１が押されたかを判断した上、第１マイクロプロセッサー２０４より、押された第１キー２０１に対応するデータ信号を生成する。第１マイクロプロセッサー２０４はさらに、生成された第１キー２０１のデータ信号を伝送ユニット２０９に伝送した上、伝送ユニット２０９により、第１キー２０１のデータ信号を外部に伝送する。
【００１５】
図２に示すものは、第２マイクロプロセッサー２０８は独自に信号を走査した上、走査信号を第２走査線２０６に出力する。さらに、第２マイクロプロセッサー２０８は、第２帰還線２０７の帰還信号を受信する。そのうちの一つ第２キー２０５が押されたとき、第２マイクロプロセッサー２０８は走査信号と帰還信号により、どの第２キー２０５が押されたかを判断した上、第２マイクロプロセッサー２０８より、押された第２キー２０５に対応するデータ信号を生成する。第２マイクロプロセッサー２０４は、生成された第２キー２０５のデータ信号を第１マイクロプロセッサー２０４に伝送した後、第１マイクロプロセッサー２０４より、第２キー２０５のデータ信号を伝送ユニット２０９に伝送した上、伝送ユニット２０９により、第２キー２０５のデータ信号を外部に伝送する。
【００１６】
図３に示すものは、本発明のマルチ走査システムの入力装置の実施例２のブロック図である。本発明のマルチ走査システムの入力装置３０は、主に複数の第１キー３０１及び複数の第２キー３０５を設ける。第１キー３０１と第２キー３０５により、互いに独立した二つのキーグループを構成する。実施例１における複数の第２キー２０５、実施例２おける第２キー３０５の走査線は、第１キー３０１の走査線を使用する。第１キー３０２は第１帰還線３０３との組み合わせにより、キー行列を構成する。各走査線３０２と各帰還線３０３の交差点にキースイッチのようなスイッチを設けて、複数の第１キー３０１を構成する。同じく、第１走査線３０２と第２帰還線３０７との組み合わせにより、第２キー行列を構成する。各走査線３０２と各帰還線３０７の交差点にキースイッチのようなスイッチを設けて、複数の第２キー３０５を構成する。
【００１７】
実施例２の入力装置３０において、第１マイクロプロセッサー３０４は第１走査線３０２と第１帰還線３０３と電気接続する。第２マイクロプロセッサー３０８は第１走査線３０２、第２帰還線３０７、第１マイクロプロセッサー３０４と電気接続する。
【００１８】
さらに、実施例２の入力装置３０において、入力装置３０はさらに伝送ユニット３０９を設け、伝送ユニット３０９は第１マイクロプロセッサー３０４と電気接続する。伝送ユニット３０９は主に、第１マイクロプロセッサー３０４よりのデータ信号を受信した上、そのデータ信号を外部に伝送する。
【００１９】
図３に示すものは、第１マイクロプロセッサー３０４は独自に信号を走査した上、走査信号を第１走査線３０２に出力する。第１キー行列と第２キー行列とも、同じ走査信号を使用し、これらの走査信号は第１マイクロプロセッサー３０４より提供される。さらに、第１マイクロプロセッサー３０４は、第１帰還線３０３より伝送された帰還信号を受信する。そのうちの一つ第１キー３０１が押されたとき、第１マイクロプロセッサー３０４は走査信号と帰還信号により、どの第１キー３０１が押されたかを判断した上、第１マイクロプロセッサー３０４より、押された第１キー３０１に対応するデータ信号を生成する。第１マイクロプロセッサー３０４はさらに、生成された第１キー３０１のデータ信号を伝送ユニット３０９に伝送した上、伝送ユニット３０９により、第１キー３０１のデータ信号を外部に伝送する。
【００２０】
図３に示すとおり、第２マイクロプロセッサー２０８はいかなる走査信号の生成及び提供をしない。しかし、第１走査信号未３０２は同時に第２マイクロプロセッサー３０８に接続しているため、第２マイクロプロセッサー３０８は走査信号を受信できる。第１マイクロプロセッサー３０４は同期にて、走査信号を第１キー行列と第２キー行列に出力した後、引き続きに第２マイクロプロセッサー３０８により、第２帰還線３０７の帰還信号を受信する。そのうちの一つ第２キー３０５が押されたとき、第２マイクロプロセッサー３０８は走査信号と帰還信号により、どの第２キー３０５が押されたかを判断した上、第２マイクロプロセッサー３０８より、押された第２キー３０５に対応するデータ信号を生成する。第２マイクロプロセッサー３０８は、生成された第２キー３０５のデータ信号を第１マイクロプロセッサー３０４に伝送した後、第１マイクロプロセッサー３０４より、第２キー３０５のデータ信号を伝送ユニット３０９に伝送した上、伝送ユニット３０９により、第２キー３０５のデータ信号を外部に伝送する。
【００２１】
前記の伝送ユニット２０９、３０９は実施するとき、ＰＳ２インターフェス、ＵＳＢインターフェスのいずれを使用しても良い。さらに、伝送ユニット２０９、３０９は実施するとき、有線式伝送ユニット、無線式伝送ユニットのいずれを使用しても良い。
【００２２】
前記の入力装置２０、３０は実施するとき、キーボードを使用しても良い。本発明の精神により造られたキーボード２０(またはキーボード３０)は、二つのマイクロプロセッサー２０４、２０８(またはマイクロプロセッサー３０４、３０８)を設けるため、それぞれに接続された二つのキー行列を独自に処理する特性を有する。よって、二組の第１キー２０１(または第１キー３０１)と第２キー２０５(または第２キー３０５)の走査タスクによる負荷、及び押されたキーのデータ信号の作業負荷は、二つのマイクロプロセッサー２０４、２０８(またはマイクロプロセッサー３０４、３０８)によって、共同に分担される。よって、本発明のキーボード２０(またはキーボード３０)は二つのマイクロプロセッサー２０４、２０８(またはマイクロプロセッサー３０４、３０８)に対して、それぞれ異なる作業量とタスクを仕分けることができる。一例として、第１マイクロプロセッサー２０４(またはマイクロプロセッサー３０４)は、大量なキーの第１キー２０１(または第１キー３０１)の入力タスクを受け持つ。そして、第２マイクロプロセッサー２０８(またはマイクロプロセッサー３０８)は、少数な第２キーの第２キー２０５(または第２キー３０５) の入力タスクを受け持つ。そして、第２マイクロプロセッサー２０８(またはマイクロプロセッサー３０８)はさらに、小型液晶表示装置に接続し、第２マイクロプロセッサー２０８(またはマイクロプロセッサー３０８)を計算機(Ｃａｃｕｌａｔｏｒ)としての計算タスクを執行させる。
【００２３】
本発明の入力装置２０(または入力装置３０)のすべてのタスクはこの二つのマイクロプロセッサー２０４、２０８(またはマイクロプロセッサー３０４、３０８)に仕分けることができるため、本発明の入力装置２０(または入力装置３０)は、コストの低い、かつ、一般計算能力を持つシングルチップ・マイクロプロセッサーを二つのマイクロプロセッサー２０４、２０８(またはマイクロプロセッサー３０４、３０８)の実施部品として使用できる。よって、構造の改良により、本発明の入力装置２０(または入力装置３０)は、公知技術の入力装置１０に比べて、優れていることが明らかである。本発明の入力装置２０(または入力装置３０)は一種の生産コストが低く、簡単に実施できる多機能の入力装置を提供している。
【００２４】
図４に示すものは、本発明のマルチ走査システムの入力装置の実施例３のブロック図である。本発明のマルチ走査システムの入力装置４０は複数のキー４０５を設ける。第１マイクロプロセッサー４０４より、走査信号を走査線４０２に提供し、走査線４０２は帰還線４０７との組み合わせにより、キー行列を構成する。さらに、各走査線４０２と各帰還線４０７の交差点にキースイッチのようなスイッチを設けて、複数のキー４０５を構成する。
【００２５】
実施例３の入力装置４０において、第１マイクロプロセッサー４０４は走査線４０２と電気接続する。第２マイクロプロセッサー４０８は走査線４０２、帰還線４０７、第１マイクロプロセッサー４０４と電気接続する。
【００２６】
さらに、実施例３の入力装置４０において、入力装置４０はさらに伝送ユニット４０９を設け、伝送ユニット４０９は第２マイクロプロセッサー４０８と電気接続する。伝送ユニット４０９は主に、第２マイクロプロセッサー４０８よりのデータ信号を受信した上、そのデータ信号を外部に伝送する。
【００２７】
図４に示すものは、第１マイクロプロセッサー４０４は独自に信号を走査した上、走査信号を走査線４０２に出力する。第２マイクロプロセッサー４０８はいかなる走査信号の生成及び提供をしない。しかし、走査線４０２は同時に第２マイクロプロセッサー４０８に接続しているため、第２マイクロプロセッサー４０８は走査信号を受信できる。第１マイクロプロセッサー４０４により、走査信号をキー行列に出力した後、第２マイクロプロセッサー４０８により、帰還線４０７の帰還信号を受信する。そのうちの一つキー４０５が押されたとき、第２マイクロプロセッサー４０８は走査信号と帰還信号により、どのキー４０５が押されたかを判断した上、第２マイクロプロセッサー４０８より、押されたキー４０５に対応するデータ信号を生成する。第２マイクロプロセッサー４０８はさらに、生成されたキー４０５のデータ信号を伝送ユニット４０９に伝送した上、伝送ユニット４０９により、キー４０５のデータ信号を外部に伝送する。
【００２８】
前記の入力装置４０は実施するとき、キーボードにすることができる。第１マイクロプロセッサー４０４と第２マイクロプロセッサー４０８はそれぞれに異なるタスクを実行できるため、キーボードは入力機能のほか、計算機など他の機能を追加できる。なお、計算機機能は第１マイクロプロセッサー４０４にて実行できる。
【００２９】
前記の伝送ユニット２０９、３０９、４０９は実施するとき、ＰＳ２インターフェス、ＵＳＢインターフェスのいずれを使用しても良い。さらに、伝送ユニット２０９、３０９、４０９は実施するとき、有線式伝送ユニット、無線式伝送ユニットのいずれを使用しても良い。
【図面の簡単な説明】
【００３０】
【図１】公知技術の走査システムの入力装置のブロック図である。
【図２】公知技術のマルチ走査システムの入力装置の実施例１のブロック図である。
【図３】公知技術のマルチ走査システムの入力装置の実施例２のブロック図である。
【図４】公知技術のマルチ走査システムの入力装置の実施例３のブロック図である。
【符号の説明】
【００３１】
１０  入力装置
１０１  キー
１０２  走査線
１０３  帰還線
１０４  マイクロプロセッサー
２０  入力装置
２０１  第１キー
２０２  第１走査線
２０３  第１帰還線
２０４  第１マイクロプロセッサー
２０５  第２キー
２０６  第２走査線
２０７  第２帰還線
２０８  第２マイクロプロセッサー
２０９  伝送ユニット
３０  入力装置
３０１  第１キー
３０２  第１走査線
３０３  第１帰還線
３０４  第１マイクロプロセッサー
３０５  第２キー
３０７  第２帰還線
３０８  第２マイクロプロセッサー
３０９  伝送ユニット
４０  入力装置
４０２  走査線
４０５  キー
４０４  第１マイクロプロセッサー
４０７  帰還線
４０８  第２マイクロプロセッサー
４０９  伝送ユニット
【図１】
2007164750.tif 000003
【図２】
2007164750.tif 000004
【図３】
2007164750.tif 000005
【図４】
2007164750.tif 000006